(57)【要約】【課題】障害発生端末装置の復旧時に上位サーバ装置のタイマ監視を待たずに、データリンクレイヤを確立して通信するＡＤＳＬモデム。【解決手段】ＬＡＮ制御部１１と、モデム制御部１５と、ＬＡＮインタフェースのリンク状態を監視するＬＡＮリンク状態監視手段１２と、データリンクレイヤ状態を監視するデータリンクレイヤ状態監視手段１４と、サーバ装置６に対するデータリンクレイヤを開放するデータリンクレイヤ開放処理手段１６とを備えたＡＤＳＬモデム１において、端末装置２とサーバ装置６とのデータリンクレイヤが確立された通信状態において、障害が発生した端末装置２を再起動させて障害を復旧した後端末装置２からデータリンクレイヤ確立の開始の再要求があると、サーバ装置６とのデータリンクレイヤ開放処理を実施した後、サーバ装置６に対してデータリンクレイヤ確立の開始を再要求する。【選択図】　　　　図２
2004088355.tif 000002
【特許請求の範囲】
【請求項１】
ディジタル端末装置とのインタフェースをとるＬＡＮ制御部と、上位サーバ装置とのインタフェースをとるモデム制御部と、ＬＡＮインタフェースのリンク状態を監視するＬＡＮリンク状態監視手段と、ディジタル端末装置と上位サーバ装置とのデータリンクレイヤ状態を監視するデータリンクレイヤ状態監視手段と、上位サーバ装置に対するデータリンクレイヤを開放するデータリンクレイヤ開放処理手段とを備えたＡＤＳＬモデムにおいて、
ディジタル端末装置と上位サーバ装置とのデータリンクレイヤが確立された通信状態において、障害が発生したディジタル端末装置を再起動させて障害を復旧した後該ディジタル端末装置からデータリンクレイヤ確立の開始の再要求があると、上位サーバ装置とのデータリンクレイヤ開放処理を実施した後、上位サーバ装置に対してデータリンクレイヤ確立の開始を再要求することを特徴とするＡＤＳＬモデム。
【請求項２】
データリンクレイヤ状態を表示するデータリンクレイヤ表示手段と、データリンクレイヤを手動で開放する手動開放手段と、手動開放と自動開放とを選択する開放選択制御手段とを備え、開放選択制御手段が手動開放選択に設定されている場合に、ディジタル端末装置の利用者がデータリンクレイヤの状態を確認して利用者が上位サーバ装置等へデータリンクレイヤ確立の開始再要求をする前に利用者が手動でデータリンクレイヤを開放することを特徴とする請求項１記載のＡＤＳＬモデム。
【発明の詳細な説明】
【０００１】
【発明の属する技術分野】
本発明は、ディジタル端末装置とのＬＡＮインタフェースのリンク状態、ディジタル端末装置と上位サーバ装置等とのデータリンクレイヤの状態を監視するＡＤＳＬモデムに関する。
【０００２】
【従来の技術】
ディジタル端末装置からデータリンクレイヤ確立の開始を要求し、上位サーバ装置等とＡＤＳＬモデムを使用して通信する通信システムにおいて、ディジタル端末装置と上位サーバ装置等が通信状態において、障害が発生したディジタル端末装置を再起動した場合や、ディジタル端末装置とＡＤＳＬモデム間のＬＡＮケーブル抜け等によるＬＡＮインタフェースのリンク断時にディジタル端末装置側のデータリンクレイヤの開放が発生した場合、上位サーバ装置側のデータリンクレイヤは依然として確立状態にあるので、ディジタル端末装置が復帰してディジタル端末装置から上位サーバ装置等へデータリンクレイヤ確立の開始を要求してもディジタル端末装置と上位サーバ装置等の状態アンマッチとなってしまい、上位サーバ装置等の監視タイムアウトにより上位装置側のデータリンクレイヤが強制的に開放されるまでディジタル端末装置と上位サーバ装置等の通信ができなくなってしまう。
【０００３】
このとき、上位サーバ装置等のタイマ値をディジタル端末装置利用者は把握できないので、データリンクレイヤが確立するまで、連続的にテータリンクレイヤ確立の開始要求をしなければならない。
【０００４】
この状態を図５を用いて説明する。図５は、従来の装置においてデータリンクレイヤにＰＰＰｏＥ及びＰＰＰプロトコルを使用した場合の接続シーケンスである。
【０００５】
ディジタル端末装置２からＰＰＰｏＥセッション確立を開始し、上位サーバ装置等６との間でＰＰＰｏＥセッションおよびＰＰＰセッションが確立するとデータリンクレイヤは確立となって、データ通信状態（シーケンスｃ１）にあるとき、ディジタル端末装置２のウィンドウを開きすぎて、フリーズするなどの障害が発生すると（シーケンスｃ２）、ディジタル端末装置２は仕方なく強制リセットにより再起動を実施する。ディジタル端末装置２ではリセット処理が実行され、一旦ＬＡＮインタフェースの初期化が行われるのでＬＡＮインタフェースのリンクが断状態となる。再起動の結果ディジタル端末装置２が立ち上がると、ＬＡＮインタフェースのリンクが確立するが、ディジタル端末装置２はリセットされたので、既に上位サーバ装置等６とデータリンクレイヤが確立していたことを忘れてしまっており、上位サーバ装置等６と通信するためにＡＤＳＬモデム１に対してＰＡＤＩを送出してＰＰＰｏＥセッション確立の要求を開始し（シーケンスｃ３）、ＡＤＳＬモデム１は上位サーバ装置６に対してＰＡＤＩを送出してＰＰＰｏＥセッション確立の要求を開始する（シーケンスｃ４）。
【０００６】
上位サーバ装置等６は既にセッションが確立して通信状態にあるので、ディジタル端末装置２にＰＰＰｏＥセッション確立を返信することができない。ＰＰＰｏＥセッション確立要求に対して上位サーバ装置６から応答がないので、ディジタル端末装置２は、繰り返しＰＡＤＩを送出してＰＰＰｏＥ確立を要求し続ける（シーケンスｃ３〜ｃ５）。
【０００７】
上位サーバ装置等６はＰＡＤＩを受けても応答することができず、ディジタル端末装置２からのＰＡＤＩ（シーケンスｃ７）に対してタイムアウトすると（シーケンスｃ１１）、ＰＡＤＯをＡＤＳＬモデム１経由でディジタル端末装置２へ送り返し（シーケンスｃ８）、ＰＡＤＯを受けたディジタル端末装置２は、ＰＡＤＲをＡＤＳＬモデム１経由で上位サーバに送り返す（シーケンスｃ９）。ＰＡＤＲを受けた上位サーバ装置６は、ＰＡＤＳをＡＤＳＬモデム１を経由してディジタル端末装置２へ送出する（シーケンスｃ１０）。シーケンスＣ１１におけるタイムアウト値はディジタル端末装置２から分からないので、いつ接続できるのか不明となる。したがって、ディジタル端末装置２は何度も闇雲にＰＡＤＩを送出してＰＰＰｏＥセッション確立の開始（シーケンスｃ３〜ｃ５）を要求しなければならない。現状の装置ではこの様な問題が発生する。
【０００８】
【発明が解決しようとする課題】
本発明の目的は、ディジタル端末装置と上位サーバ装置等が通信状態にあるときに、ディジタル端末装置の障害等による再起動またはディジタル端末装置とＡＤＳＬモデム間のＬＡＮケーブル抜け等によるリンク断後にディジタル端末装置側のデータリンクレイヤの開放が発生した場合、上位サーバ装置等のデータリンクレイヤは確立状態にあるので、ディジタル端末装置が復帰してディジタル端末装置から上位サーバ装置等へデータリンクレイヤ確立の開始を要求してもディジタル端末装置と上位サーバ装置等の状態アンマッチとなりなかなか接続できない状態となるが、上位サーバ装置等のタイマ監視を待たずに、直ぐにディジタル端末装置と上位サーバ装置等とのデータリンクレイヤを確立して通信ができるＡＤＳＬモデムを提供することにある。
【０００９】
【課題を解決するための手段】
上記目的を達成するために、本発明は、ディジタル端末装置と上位サーバ装置等が通信中かどうかを把握するためにデータリンクレイヤの状態を監視する手段を有すること、端末装置が障害等による再起動または端末装置とＡＤＳＬモデム間のＬＡＮケーブル抜け等によるリンク断の発生を把握するためにＬＡＮインタフェースのリンク状態を監視する手段を有することを特徴とする。
【００１０】
また、本発明は、ディジタル端末装置と上位サーバ装置等が通信状態時にディジタル端末装置の障害でディジタル端末装置のデータリンクレイヤに開放が発生した場合、上位サーバ装置等のデータリンクレイヤが確立している状態でディジタル端末装置のデータリンクレイヤ確立の開始要求に備えて、上位サーバ装置等へのデータリンクレイヤを開放する手段を有することを特徴とする。
【００１１】
さらに、本発明は、ディジタル端末装置の利用者が好きなときにデータリンクレイヤを開放するために手動でデータリンクレイヤを開放する手段を有することを特徴とする。
【００１２】
また、本発明は、前記の手動でデータリンクレイヤを切断する契機を容易に利用者に把握してもらうためデータリンクレイヤ表示を行う手段を有することを特徴とする。
【００１３】
【発明の実施の形態】
次に、本発明の一実施の形態について図面を参照して詳細に説明する。図１を用いて、本発明にかかるＡＤＳＬモデムを用いた通信システムの構成を説明する。この通信システムは、本発明にかかるＡＤＳＬモデム１と、ＡＤＳＬモデム１にＬＡＮインタフェースを介して収容されるパソコンなどのディジタル端末装置２と、電話端末などのアナログ端末装置３と、ディジタル端末２とアナログ端末３を収容されるスプリッタ４と、スプリッタ４に電話回線などを介して接続されたＤＳＬＡＭ５と、ＤＳＬＡＭ５の先に接続された上位サーバ装置等６とから構成される。スプリッタ４は、電話端末等３とＡＤＳＬモデム１とを分離する。
【００１４】
図２にＡＤＳＬモデム１の機能ブロック構成を示す。ＡＤＳＬモデム１は、パソコン等のディジタル端末装置２とのＬＡＮインタフェースをとるＬＡＮ制御部１１、ＬＡＮの状態監視を行うＬＡＮリンク状態監視部１２、ＬＡＮからのフレームを受信し一旦バッファリングし上位へフォーマット変換し送信するプロトコル処理部１３、ＰＰＰｏＥ及びＰＰＰプロトコルセッション状態を監視するデータリンクレイヤ状態監視部１４、データリンクレイヤの状態を表示するデータリンクレイヤ表示部１７、局部ＤＳＬＡＭ５とのインタフェースをとるモデム制御部１５、パソコン等のディジタル端末装置２と上位サーバ装置６が通信中にパソコン等ディジタル端末装置２よりＰＰＰｏＥのセッション確立要求が来たときに、上位サーバ装置へＰＰＰｏＥのセッション開放の制御を行うデータリンクレイヤ開放処理部１６、利用者がデータリンクレイヤ開放を実施するときに自動か手動かを選択する開放選択制御部１８、利用者が手動選択時に手動でデータリンクレイヤ開放を指示する手動開放スイッチ１９から構成される。
【００１５】
次に、本発明にかかるＡＤＳＬモデムの一実施の形態の動作について図３、４を参照して詳細に説明する。図３はパソコン等のディジタル端末装置２が障害による再起動を実施した後に上位サーバ装置等６と直ぐに接続するための動作フローである。図４は本発明におけるデータリンクレイヤにＰＰＰｏＥ及びＰＰＰプロトコルを使用した場合の接続シーケンス例を示す。
【００１６】
まず、パソコン等のディジタル端末装置２とＡＤＳＬモデム１の電源をｏｎする（図３ステップａ１）。パソコン等のディジタル端末装置２とＡＤＳＬモデム１が無事立ち上がると、パソコン等のディジタル端末装置２とＡＤＳＬモデム１を接続するＬＡＮインタフェースのリンクが確立（図３ステップａ２）し、また、ＡＤＳＬモデム１はＤＳＬＡＭ５とネゴシエーションを確立する（図３ステップａ３）。これで、パソコン等のディジタル端末装置２と上位サーバ装置６との物理レイヤが確立したことになる。
【００１７】
次に、パソコン等のディジタル端末装置２と上位サーバ装置６とが通信を行うためにデータリンクレイヤの処理を実施する。この実施の形態では、データリンクレイヤとしてＰＰＰｏＥ及びＰＰＰプロトコルをした場合について説明する。
【００１８】
まずパソコン等のディジタル端末装置２からＰＰＰｏＥセッション確立を開始し、上位サーバ装置等６との間でＰＰＰｏＥセッションが確立すると、パソコン等のディジタル端末装置２からＰＰＰセッションの確立を開始する。ＰＰＰセッションが確立するとデータリンクレイヤは確立（図３ステップａ４）となり、データ通信状態（図３ステップａ５）（図４シーケンスｂ１）となり、パソコン等のディジタル端末装置２からＰＰＰｏＥセッションの開放指示をするまでは、問題なくデータ通信を行える。
【００１９】
ここで、ディジタル端末装置２のウィンドウを開きすぎて、パソコン等のディジタル端末装置２がフリーズする障害が発生すると（図４シーケンスｂ２）、ディジタル端末装置２を仕方なく強制リセットにより再起動を実施する（図３ステップａ６）。ディジタル端末装置２ではリセット処理が実行され、一旦ＬＡＮインタフェースの初期化が行われるのでＬＡＮインタフェースのリンクが断状態となる（図３ステップａ７）。
【００２０】
ＡＤＳＬモデム１は、常時ＬＡＮリンク状態監視部１２でＬＡＮリンク状態を監視しているので、ディジタル端末装置２の電源がＯＦＦされたか、ＬＡＮインタフェース回路の故障か、ＬＡＮケーブルが外れたか、ディジタル端末装置２がリセットされたことを認識できる。
【００２１】
次に、再起動の結果ディジタル端末装置２が立ち上がると、ＬＡＮインタフェースのリンクが確立し（図３ステップａ８）、ＡＤＳＬモデム１のＬＡＮリンク状態監視部１２でＬＡＮのリンク確立を確認する。ディジタル端末装置２はリセットされたので、既に上位サーバ装置等６とデータリンクレイヤが確立していたことを忘れてしまっており、上位サーバ装置等６と通信するためにＡＤＳＬモデム１に対してＰＡＤＩを送出してＰＰＰｏＥセッション確立を開始する（図３ステップａ９）（図４シーケンスｂ３）。
【００２２】
本発明では、データリンクレイヤ状態監視部１４でデータリンクレイヤの状態を監視し、ＬＡＮインターフェイスのリンク断検出前の状態がデータリンクレイヤ確立中（ステップａ１０−ｙ）で、開放選択制御部１８で自動が選択されていれば（ステップａ１１−ｙ）、データリンクレイヤの開放処理（ステップａ１２）を実施する。この手順は、図４のシーケンスの様にＡＤＳＬモデム１から上位サーバ装置等６へＰＰＰセッションの開放指示（Ｔｅｒｍｉｎａｔｅ−Ｒｅｑｕｅｓｔ：シーケンスｂ４）を要求すると、上位サーバ装置等６からＰＰＰセッションの開放（Ｔｅｒｍｉｎａｔｅ−Ａｃｋ：シーケンスｂ５）が到着する。その後、ＰＰＰｏＥセッションの開放（ＰＡＤＴ：シーケンスｂ６）を上位サーバ装置等６へ要求する。上位サーバ装置等６からＰＰＰｏＥセッションの開放（ＰＡＤＴ：シーケンスｂ７）が到着すると、上位サーバ装置等６のデータリンクレイヤが開放され（シーケンスａ１２）アイドル状態となり、ＰＰＰｏＥセッション確立の開始要求に対応できるようになる。
【００２３】
ＬＡＮインタフェースのリンク断検出前の状態がデータリンクレイヤの開放中（ステップａ１０−ｎ）または開放選択制御部１８で手動が選択（ステップａ１１−ｎ）されている場合には、手動でデータリンクレイヤを開放する（シーケンスａ１７）。
【００２４】
ＬＡＮインタフェースのリンク断検出前の状態がデータリンクレイヤの開放中（ステップａ１０−ｎ）またはデータリンクレイヤの開放終了（ステップａ１２）または、開放選択制御部１８で手動が選択（ステップａ１１−ｎ）されている場合であり、データリンクレイヤ確立の開始要求（ステップａ９）があれば、ＡＤＳＬモデム１は上位サーバ装置等６に対し、データリンクレイヤ確立の開始要求を実行する。詳細はシーケンス図４の様にＡＤＳＬモデム１からＰＰＰｏＥセッション確立の開始（ＰＡＤＩ：シーケンスｂ８）を上位サーバ装置等６へ要求し、以下、ＰＰＰｏＥセッション手順に従いパケットのやり取り（ＰＡＤＯ，ＰＡＤＲ）をディジタル端末装置２と上位サーバ装置等６との間でＡＤＳＬモデム１を介して行う。
【００２５】
最後に上位サーバ装置等６からＰＰＰｏＥセッション確立の通知（シーケンスｂ９）がＡＤＳＬモデム１を介してパソコン等のディジタル端末装置２へ通知（シーケンスｂ１０）され、ＰＰＰｏＥセッション確立が完了する。
【００２６】
次にＰＰＰセッションを同様にパソコン等のディジタル端末装置２と上位サーバ装置等６間でＡＤＳＬモデム１を介して実施し、ＰＰＰセッション確立（ステップａ１３）後に、データ通信が可能な状態となる（ステップａ１４）。通信が終わった後、データリンクレイヤを開放し（ステップａ１５）、ディジタル端末装置２およびＡＤＳＬモデム１の電源をＯＦＦしてデータ通信を終了する（ステップａ１６）。
【００２７】
【発明の効果】
以上説明したように、本発明によれば、ディジタル端末装置利用者は上位サーバ装置等のいつ接続できるか分からないタイムアウトに期待することなく、直ぐに通信することが可能になる。また、タイムアウト後にデータリンクレイヤが確立するまで、何度も何度も闇雲にデータリンクレイヤ確立要求を出す必要がなくなり、接続待ちの精神的苦痛を無くす事ができる。また、データリンクレイヤ状態表示により、手動でのデータリンクレイヤ開放も容易にできる。
【図面の簡単な説明】
【図１】システム構成図。
【図２】本装置の機能ブロック図。
【図３】本装置の接続動作フロー図。
【図４】本発明のＰＰＰｏＥ処理シーケンス図。
【図５】従来のＰＰＰｏＥ処理シーケンス図。
【符号の説明】
１　ＡＤＳＬモデム
２　ディジタル端末装置（パソコン等）
３　アナログ端末装置（電話端末等）
４　スプリッタ
５　ＤＳＬＡＭ
６　上位サーバ装置等
【図１】
2004088355.tif 000003
【図２】
2004088355.tif 000004
【図３】
2004088355.tif 000005
【図４】
2004088355.tif 000006
【図５】
2004088355.tif 000007